(57)【要約】      （修正有）【課題】花びらを使用して制作した装飾体を備えた、美的感覚的に優れた芸術的な装飾カード類を提供する。【解決手段】装飾体３を備えたカード類１００であって、シート状の紙材で構成した所望のカード類と、プリザーブドフラワー、アートフラワー、及びアーティフィシャルフラワーの群から選択したフラワーの花びら４とを備える。装飾体は、カード類の所望の面に、所望枚数のフラワーの花びらを所望の形態でアレンジして配置し、各花びらの所望の部位をカード類に接着して制作した所望のデザインのドレスや和服その他の装飾被服で構成する。【選択図】図１
0003204891.tif 000002
【実用新案登録請求の範囲】
【請求項１】
花びらを使用して作成した装飾体を備えた装飾カード類であって、
シート状の紙材で構成した所望のカード類と、プリザーブドフラワー、アートフラワー、及びアーティフィシャルフラワーの群から選択した一種又は複数種のフラワーの花びらとを備え、
前記装飾体は、前記カード類の所望の面における所望の部位に、前記選択したフラワーの所望枚数の花びらを所望の形態でアレンジして配置すると共に前記各花びらの所望の部位を接着して制作した所望のデザインのドレスや和服その他の装飾被服で構成されている
ことを特徴とする装飾カード類。
【請求項２】
前記各花びらは、前記カード類に直接又は下地材を介して接着されていることを特徴とする請求項１に記載の装飾カード類。
【請求項３】
請求項１又は２に記載の装飾カード類において、
前記装飾カード類は、前記カード類の所望の部位に取付けたリボン、装飾ビーズ、ネックレスその他の所望の装飾品をさらに備えていることを特徴とする装飾カード類。
【考案の詳細な説明】
【技術分野】
【０００１】
本考案は、装飾カード類に関する。さらに詳しくは、はがきなどのポストカード、クリスマスカードその他のグリーティングカード、招待状や案内状、或いは祝儀袋その他の各種カード類に装飾体を備えた装飾カード類に関する。
【背景技術】
【０００２】
従来より、例えば乾燥押し花を使用した装飾体を取付けたカード類が一般に知られている（例えば、特許文献１ないし３参照）。また、特開２０１６−２２０８０号公報には、プリザーブドフラワーを使用した装飾体を取付けたカード類が開示されている（特許文献４参照）。
【先行技術文献】
【特許文献】
【０００３】
【特許文献１】実用新案登録第３０８４７４０号公報
【特許文献２】実用新案登録第２６０７４２９号公報
【特許文献３】実開平６−７９６５号公報
【特許文献４】特開２０１６−２２０８０号公報
【考案の概要】
【考案が解決しようとする課題】
【０００４】
特許文献１ないし４に記載の考案ないし発明（先行技術）によれば、それぞれ特性を有する装飾カード類が得られる。花は美的感覚を有しているが、先行技術の装飾体は、いずれも外観上において元の生花の形状を呈しているので、表現領域や芸術的な思考等において物足りない面があるように思われる。
【０００５】
そこで、本考案は発想を転換して、外観を花の形状から離れ、プリザーブドフラワー等のフラワーの花びらの有する特長を有効的に活用し、前記フラワーの花びらを使用して作成した装飾体を備えた装飾カード類を提供することを目的とするものである。
【課題を解決するための手段】
【０００６】
上記目的を達成するため、本考案は、花びらを使用して作成した装飾体を備えた装飾カード類であって、
シート状の紙材で構成した所望のカード類と、プリザーブドフラワー、アートフラワー、及びアーティフィシャルフラワーの群から選択した一種又は複数種のフラワーの花びらとを備え、
前記装飾体は、前記カード類の所望の面における所望の部位に、前記選択したフラワーの所望枚数の花びらを所望の形態でアレンジして配置すると共に前記各花びらの所望の部位を接着して制作した所望のデザインのドレスや和服その他の装飾被服で構成されていることを特徴とする。
【０００７】
本考案において、「装飾カード類」の「カード類」には、はがきなどのポストカード、クリスマスカードその他のグリーティングカード、招待状や案内状、或いは祝儀袋、広告用や案内用のポスターやちらし等が含まれる。また、「シート状の紙材」には、紙製以外に合成紙製やプラスチックシート製も含まれる。
【０００８】
プリザーブドフラワーは、生花の組織液を保存薬で置換した加工花である。プリザーブドフラワーは、花、特に花びら（花弁）に鮮やかさや瑞々（みずみず）しさがあり、これを長期（数年）にわたって保持できる。
【０００９】
アートフラワーは、布地をプレス等で所望の花びら（花弁）形状に型抜きして、所望色に染色して作成した花である。また、アーティシャルフラワーは、ポリエステルやポリエチレン等のプラスチックで成形加工した花である。アートフラワー及びアーティシャルフラワーも美的に極めて優れた特長を有し、これを長期（数年）にわたり保つことができる。
【００１０】
本考案において、前記各花びらは、前記カード類に直接又は下地材（下地布）を介して接着した構成を採用することができる。
【００１１】
本考案において、前記装飾カード類は、前記カード類の所望の部位に取付けたリボン、装飾ビーズ、ネックレスその他の所望の装飾品をさらに備えた構成を採用することができる。
【考案の効果】
【００１２】
本考案によれば、次のような作用効果を奏する。
（１）美的感覚的に優れた芸術的なカード類を提供することができる。
（２）プリザーブドフラワー、アートフラワー、又はアーティシャルフラワーの花びらをアレンジして貴賓と優雅さとを兼ね備えた所望のデザインのドレスや和服その他の装飾被服を表現することができる。
（３）装飾被服は前記フラワーの花びらで構成されているので、美しさを長期間にわたって保つことができる。
（４）プリザーブドフラワー等の用途分野を拡大することができる。
（５）カード類を受け取る側に強い印象を与えるカード類を提供することができる。
【図面の簡単な説明】
【００１３】
【図１】本考案の一実施形態の装飾カード類の構成を概略的に示す図であって、同図（ａ）は説明正面図、同図（ｂ）は説明側面図である。
【図２】前記装飾カード類の一部の主要な構成部材を概略的に示す図であって、同図（ａ）はシート状の紙材で形成したはがき（ポストカード）の説明表面図、同図（ｂ）は裏面図、同図（ｃ）は下地材（下地布）を示す説明表面図、同図（ｄ）はプリザーブドフラワー等のフラワーの花びら（花弁）の一例の構成を概略的に示す説明正面図である。
【図３】前記はがきの裏面に前記下地材を接着その他の手段で固着した状態の一例の構成を概略的に示す説明図である。
【図４】前記はがきの前記下地材上の裾部に位置させて複数枚の前記花びらをアレンジして一段接着して装着した状態の構成を概略的に示す説明図である。
【図５】前記一段目の花びら群の上方側に位置させて、複数枚の花びらをアレンジして前記下地材上に二段目の花びらを接着して装着した状態の構成を概略的に示す説明図である。
【図６】図５に示す花びら群の上方部に位置させて、前記花びら群と前記下地材の上端部との間に略全域に複数枚の花びらをアレンジして所望段接着した状態の構成を概略的に示す説明図である。
【図７】本考案の他の実施形態の装飾カード類の構成を概略的に示す説明展開表面図である。
【図８】図７に示す装飾カード類のカード類を構成した招待状の構成を概略的に示す説明斜視図である。
【考案を実施するための形態】
【００１４】
以下、図面を参照して本考案の装飾カード類の実施形態の一例について説明する。
【００１５】
図１ないし図６は、本考案の一実施形態の装飾カード類を示す。
【００１６】
本実施形態（実施形態１）の装飾カード類１００は、カード類として、はがき（ポストカード）を採用し、また、花びらとして、プリザーブドフラワーの花びらを採用し、前記はがきの所望の面に前記花びらを使用して作成した装飾体を備えて構成されている。
【００１７】
図１ないし図６に示すように、本実施形態（実施形態１）の装飾カード類１００は、はがき１（ポストカード）と、下地材（布）２を介してはがき１の所望の面（本実施形態では裏面）に接着して設ける所望のデザインのドレスや和服その他の装飾被服（装飾衣服）で構成した装飾体３とを備える。
【００１８】
装飾体３を構成するドレスや和服その他の装飾被服は、プリザーブドフラワー、アートフラワー、及びアーティシャルフラワーの群から選択した所望ないし必要枚数のフラワーの花びら（花弁）４…４をアレンジして構成（制作）されている。この場合、前記フラワーは一種又は複数種を選択して使用してもよい。本実施形態ではプリザーブドフラワーの花びら（花弁）４…４を採用している。
【００１９】
また、本実施形態の装飾カード類１００は、リボンやビーズその他の装飾品を備える。前記装飾品については追って説明する。
【００２０】
前記はがき１（ポストカード）は、一般に市販されている所望の肉厚及び大きさのシート状の紙材で構成した「はがき」を適宜選択して採用できる。
【００２１】
下地材２（下地布）は、はがき１と各花びら４との間に介装し、糊等の接着剤がはがき１に滲み込み過ぎるのを防止するために使用される。下地材２の素材は特に限定するものではなく、所望の素材を採用できる。本実施形態では織布や不織布などの布材で構成した下地材（下地布）を採用している。
【００２２】
前記装飾体３は、はがき１の所望の面における所望の部位に、所望枚数の前記花びら４…４を所望の形態でアレンジして配置すると共に各花びら４の所望の部位を糊や接着剤で接着して制作した所望のデザインのドレスや和服その他の装飾被服で構成されている。
【００２３】
本実施形態の装飾体３は、はがき１の裏面１０ａに下地材を介して所望枚数の花びら（花弁）を使用して制作した所望のデザインのドレスで構成されている。
【００２４】
本実施形態の下地材２（下地布）は、前記ドレスの外形の大きさ及び形状と略対応する大きさ及び形状に形成されている。下地材２は、はがき１の裏面における前記ドレスを装着する部位に接着剤で接着して設ける。装飾体３を構成するドレスは、下地材２を介してはがき１の裏面に接着した所望枚数の花びら４で制作される。なお、この場合において、下地材２を省略して、各花びら（花弁）をはがき１に直接接着してドレスや和服その他の装飾被服を制作するように構成することもできる。この点については後述する実施形態においても同様である。
【００２５】
本実施形態では、はがき１の裏面側における前記ドレスを装着する部位の上部側の所望の部位に位置させて、所望のデザインの帽子の図形５が印刷等で表示されている。前記図形は、はがき１にあらかじめ印刷等で表示されている。はがき１の裏面における上部側には、所望の言葉や文字等を記載する余白部１１ａが設けてある。また、はがき１の表面１０ｂは通常のはがきと同様に、住所や氏名を記載する記載部１１ｂになっている。
【００２６】
前記プリザーブドフラワーの種類は特に限定されるものではなく、例えば、バラ、カーネーション、アジサイ、チューリップ、ユリ、スイートピー、ダリアその他所望の花を任意に選択して採用できる。また、花びら（花弁）の色も所望の色のものを採用できる。これらの点については、アートフラワー及びアーティシャルフラワーについても同様である。
【００２７】
本実施形態では、所望色のバラのプリザーブドフラワーの花びら（花弁）を採用している。本実施形態では、図２（ｄ）に示すように、花びら４（花弁）を略中央部でカット４０し、同図において花びら４の上半部４ａを使用している。なお、本実施形態では、前記図において、花びら４の下半部４ｂは使用していない。
【００２８】
本実施形態の装飾カード類１００は、図１に示すように、はがき１の裏面に、下地材２（下地材２については図１（ｃ）及び図３〜図５等参照）を介して所望枚数のプリザーブドフラワーの花びら（花弁）を所望の形態でアレンジして配送すると共に前記各花びらの所望の部位を接着して制作した装飾体３としてのドレスを備える。また、前記ドレスの上端部側に位置して接着して設けたリボン３０及び装飾ビーズ３１等の装飾品等を備えて構成されている。
【００２９】
本実施形態の装飾カード類１００は、上記のように構成されている。次に前記装飾カード類１００の製作方法の一例について説明する。
【００３０】
図３に示すように、はがき１の裏面１０ａ（このはがき１の裏面１０ａには帽子の図形５が印刷されている）に、下地材２（下地布）の所望部を接着剤で接着して固着して設ける。この場合、下地材２は、その上端部が帽子の図形５より幾分下方部に位置するように接着して設ける。
【００３１】
次に図４に示すように、下地材上の裾部（下端部）に位置させて所望枚数（図示では５枚）の花びら４をアレンジして配置し、一段接着する。
【００３２】
上記接着方法は、例えば次のように行なう。即ち、花びら４…４をアレンジして配置し、各花びら４の図４において上縁部を下地材に接着すると共に隣接する花びら同士の重合部等を接着して一段目の花びら群を下地材に接着する。
【００３３】
次いで、図５に示すように、一段目の前記花びら群の上方部側に位置させて、前記と同様に所望枚数（図示では５枚）の花びら４…４をアレンジして配置し、前記と同様に接着して下地材上に二段目の花びら群を装着する。
【００３４】
次いで、図６に示すように、二段目の花びら群の上方部側に位置させて、前記二段目の花びら群と下地材の上端部との間の略全域に所望枚数の花びらをアレンジして配置し、前記と同様に各花びらを接着して複数段（図示で略三段）接着する。
【００３５】
上記により、はがき１の裏面側に所望枚数のプリザーブドフラワーの花びら（花弁）を所望の形態でアレンジし、はがき１の裏面に接着して装着した所望のデザインのドレスを制作する。
【００３６】
そして、前記ドレスの首部にリボン３０の上端部側を接着すると共に装飾ビーズ３１等を接着等により装着し、図１に示す装飾カード類１００を制作する。
【００３７】
本実施形態によれば、前記ドレスと帽子の図形により、ドレスを装着した人形を表現した装飾体を備えた装飾カード類を制作することができる。
【００３８】
本実施形態（実施形態１）の装飾カード類は上記のように構成したものである。この実施形態１の装飾カード類は、例えば、クリスマスカードや年賀状その他の各種のグリーティングカード等として使用できる。
【００３９】
実施形態１の装飾カード類は、例えば、はがき１の表面に宛先人の住所氏名及び差出人の住所氏名を記載し、例えば透明の袋に封入して定形外の郵便物の所定料金の切手を貼って投函して送り、或いは非透明の通常の封筒に住所氏名等を記載して封入し、所定料金の切手を貼って送り先へ送ることができる。
【００４０】
図７及び図８は本考案の他の実施形態（実施形態２）の装飾カード類を示す。この実施形態２において、実施形態１で既に説明した構成と共通する構成部等には同一符号を付して説明を省略する。
【００４１】
実施形態２の装飾カード類２００は、カード類として、結婚式その他の招待状６を採用した構成に特徴がある。実施形態２も実施形態１と同様に花びらとして、プリザーブドフラワーの花びら４…４を採用している。
【００４２】
前記招待状６は、一般に使用されている招待状と同様に、シート状の紙材を中央部の折り曲げ部６０（折り線）を介して二つ折りにし、表台紙６１と裏台紙６２を備えて構成されている。
【００４３】
招待状６の両台紙６１及び６２の裏面（内側面）６１ａ，６１ｂには、招待状の目的の案内事項等が印刷等により表示されている。
【００４４】
実施形態２の装飾体３は、実施形態１と同様にプリザーブドフラワーの花びら（花弁）を使用して、実施形態１と同様に制作した所望のデザインのドレスで構成されている。
【００４５】
実施形態２の前記装飾体３は、図７に示すように、招待状６の表台紙６１の表面６２ｂに、実施形態１と同様の手法（手段）により接着して設けてある。他の構成は実施形態１と同様である。
【００４６】
実施形態２の装飾カード類２００は上記のように構成したものである。この実施形態２の装飾カード類は、結婚式その他の招待状として使用するものである。
【００４７】
前記装飾カード類２００は従来の招待状と同様に、例えば招待状６を二つ折りすると共に返信用のハガキ（図示せず）と一緒に封筒に封入し、招待を希望する人に送るものである。
【００４８】
なお、上記した実施形態では、装飾体３として、ドレスで構成した例を開示したが、装飾体３は和服その他の装飾被服で構成することができる。
【００４９】
また、上記実施形態では、花びら（花弁）として、プリザーブドフラワーの花びらを使用した例を開示したが、アートフラワー及びアーティシャルフラワーの花びら（花弁）を採用できること勿論である。
【００５０】
さらにまた、上記実施形態では、カード類として、はがき（ポストカード）及び招待状で構成した例を開示したが、本考案は、上述したように、案内状、祝儀袋、ポスター、ちらし等に適用可能である。
【００５１】
なお、上記した各実施形態は一例として開示したもので、本考案は上記実施形態に限定されるものではなく、実用新案登録請求の範囲に記載の技術思想を越脱しない範囲において任意に変更可能なものである。
【符号の説明】
【００５２】
１        はがき
２        下地材（下地布）
３        装飾体
４…４    花びら
５        帽子の図形
６        招待状
３０      リボン
３１      装飾ビーズ
１００    装飾カード類
２００    装飾カード類
【図１】
0003204891.tif 000003
【図２】
0003204891.tif 000004
【図３】
0003204891.tif 000005
【図４】
0003204891.tif 000006
【図５】
0003204891.tif 000007
【図６】
0003204891.tif 000008
【図７】
0003204891.tif 000009
【図８】
0003204891.tif 000010